(57)【要約】本発明は、基底部（１２）と、閉止のための首部（２）の外側ねじ（４）と協働するように適合された内側ねじ（１４）を有するスカート（１３）と、スカート（１３）に脆弱手段（１７）によって連結されており、首部（２）に設けられる相補的なノッチ（６）と協働するように設計されたノッチ（１９）が設けられている不正操作阻止リング（１６）を含む閉止キャップ（１１）を有する装置に関する。リング（１６）のノッチ（１９）は、前記閉止キャップ（１１）の基底部（１２）の方向を指向しており、首部（２）のノッチ（６）は出口（２ａ）と反対に指向している。
2004521039.tif 000002
【特許請求の範囲】
【請求項１】
ねじ付きの首部を備える容器を閉止するための装置であって、前記装置は、
底部と、前記首部の外側ねじに協働するように適合させた内側にねじ付きのスカートとを含むキャップと、
前記スカートに脆弱手段によって連結されており、前記首部に設けられた相補的なノッチと協働するように設けられるノッチが備え付けられた不正操作阻止リングと
を備え、前記リング（１６）の前記ノッチ（２０）は前記キャップ（１１）の前記底部（１２）の方向に指向されていることを特徴とする装置。
【請求項２】
請求項１に記載の閉止装置であって、前記ノッチ（２０）は、前記不正操作阻止リング（１６）の内側突起（１９）の環状表面（１９ｂ）に形成されていることを特徴とする装置。
【請求項３】
請求項２に記載の閉止装置であって、前記環状表面（１９ｂ）は前記装置の中心軸（Ｘ10）に対して実質的に垂直な面（Ｐ19）内に延びていることを特徴とする装置。
【請求項４】
請求項２又は３に記載の閉止装置であって、前記環状表面（１９ｂ）は、前記キャップ（１１）の前記底部（１２）に対して実質的に平行であることを特徴とする装置。
【請求項５】
請求項２から４のいずれか１項に記載の閉止装置であって、前記突起（１９）には、前記キャップ（１１）の前記底部（１２）の方向に収束する実質的な截頭錐状表面（１９ａ）が備えられていることを特徴とする装置。
【請求項６】
請求項１から５のいずれか１項に記載の閉止装置であって、前記ノッチ（１０）は傾斜しており、各ノッチは、前記環状スカート（１３）の方に指向する第１面（２０ａ）と前記第１面に対して傾斜された第２面（２０ｂ）とを有することを特徴とする装置。
【請求項７】
請求項１から６のいずれか１項に記載の装置によって閉止されるのに適合された容器のねじ付きの首部であって、前記首部の外側半径方向フランジ（５）に対して前記首部（２）の開口（２ａ）の反対に指向されるノッチ（６）を有することを特徴とする首部。
【請求項８】
請求項７に記載の首部であって、前記ノッチ（６）は、前記首部（２）の中心軸（Ｘ2）に対して実質的に垂直な面(Ｐ5)内に延びる前記フランジ（５）の環状表面（５ｂ）に形成されていることを特徴とする首部。
【請求項９】
請求項７又は８に記載の首部であって、前記フランジ（５）には、前記首部（２）の開口（２ａ）の方向に収束する截頭錐状表面（５ａ）が備えられていることを特徴とする首部。
【請求項１０】
請求項７から９のいずれか１項に記載の首部であって、前記ノッチ（６）は傾斜しており、各ノッチは前記首部（２）の中心軸（Ｘ２）に対して平行な第１面（６ａ）と前記第１面に対して傾斜している第２面（６ｂ）とを有することを特徴とする首部。
【請求項１１】
請求項７から１０のいずれか１項に記載の首部（２）を有し、請求項１から６のいずれか１項に記載の装置（１０）によって閉止される容器（１）。
【発明の詳細な説明】
【技術分野】
【０００１】
本発明は、ねじ付きの首部を有する容器を閉止するための装置、このような装置によって閉止可能なねじ付きの首部、およびそのような装置によって閉止される首部を有する容器に関する。
【背景技術】
【０００２】
液体包装業界において、瓶のねじ付きの首部に、外れないように首部に設置される不正操作阻止リングが結合されたキャップを有する閉止装置を備え付けることが公知である。この方法では、キャップをねじって外すことによって、必然的にキャップとこのリングの間の連結を破断させることになる。欧州特許公開公報０３３０９６４号からの例として、このような不正操作阻止リングに首部の中心方向を指向し、首部の外径面に設けられた対応するノッチと協働するようになっているノッチを備え付けることが公知である。閉止装置はキャップをねじって締める位置に配置されると、不正操作阻止リングのノッチが首部に設けられているノッチと対向するが、このリングはノッチが互いに対向するように位置させるためにリングの保持フランジを通り越させるためにねじ締めの最後で半径方向に広がらなければならない。キャップのねじ締めに必要な対は、ノッチが互いに擦れるため、比較的背高になっている。さらに、それぞれ不正操作阻止リングおよび首部に設けられるノッチは「頂点と頂点(apex on apex)」の接合部分が残ることがあり、これは結果として、リングのプラスチックの塑性変形となるリングの半径方向の拡張を引き起こす。これは、非常に美観が良くない。加えて、ねじ付きの首部に設けられるノッチは外側に半径方向に突出し、例えば、瓶の充填に先立つ操作の間に損傷するおそれがあり、これは、不正操作阻止リングの有効性を下げる。
【０００３】
【特許文献１】欧州特許公開公報０３３０９６４号
【特許文献２】米国特許公報４４６９２３４号
【特許文献３】国際公開公報９７３８９１２号
【特許文献４】欧州特許公開公報０５６４９９９号
【特許文献５】欧州特許公開公報０７９９７７２号
【発明の開示】
【０００４】
本発明のより特定した目的は、キャップの対を成すねじは現在の最新式のものより小さく、一方、不正操作阻止リングは確実な方法で容器の首部に維持される、全く新しい閉止装置を提案することにより、これらの欠点を解消することである。
【０００５】
この精神において、本発明は、ねじ付きの首部を備える容器を閉止するための装置であって、底部と、首部の外面のねじに協働するように適合されているねじが内面に形成されたスカートと、脆弱な手段によってこのスカートに連結されており、首部に設けられる相補的なノッチと協働するように設けられたノッチが備え付けられている不正操作阻止リングとを含むキャップから構成される装置に関する。この装置は、リングのノッチがキャップの底部の方向に指向されていることによって特徴づけられる。
【０００６】
不正操作阻止リングのノッチの指向によって、ノッチはキャップのねじ締めの間、首部の対応するノッチに対して滑る必要がない。なぜなら、ノッチはこの装置の中心軸に向かって半径方向を指向せず、キャップの底部の方向、すなわち実質的に備え付けられる容器の首部の開口の方を指向している。この指向を考慮すると、キャップをねじって外そうとする力を働かせると、これらのノッチは、首部に設けられている対応するノッチとかみ合うように動く。なぜなら、キャップは、首部の開口の方向に動き、この開口の方向に密封リングを引っ張ろうとする。言い換えると、ねじって外すときには、首部のノッチに対するキャップのノッチのかみ合いの作用力は、キャップに設けられた脆弱な手段が破壊されるまで、徐々に大きくなっていく。さらに、たとえキャップをねじって締める操作が、不正操作阻止リングのノッチと首部のノッチの「頂点と頂点」の接合になるとしても、不正操作阻止リングの半径方向の変形は起こらず、このリングの美観および機能は、これによって影響されない。それぞれ不正操作阻止リングおよび首部に設けられるノッチのかみ合いの形式を考慮に入れると、前者は、先行技術の装置におけるよりはるかに小さい歯の高さで設けることができ、材料の節約が行われ得る。
【０００７】
有利ではあるが必須ではない本発明の態様によれば、本装置は、１つ又はそれ以上の以下の特徴部分を含む。
−ノッチは、不正操作阻止リングの内面の突起の環状表面に形成されている。この環状表面は、有利には一平面内に、実質的に装置の中心軸に対して垂直に延びている。特にこの環状表面は、キャップの底部に対して実質的に平行とすることができる。
−突起には、実質的に、キャップの底部の方向に収束する截頭錐状表面が設けられている。この表面は、本装置が容器の首部に位置するときに不正操作阻止リングの半径方向の拡張のための傾斜路を構成する対応する首部の表面と協働することができる。
−ノッチは傾斜しており、各ノッチは、キャップの環状スカートの方向に指向する第１面と、この第１面に対して傾斜している第２面とを有する。ノッチの傾斜の特性は、本装置のねじ締めの場合には、これらのノッチが、首部に設けられた対応するノッチに対して動くことを許容するが、ねじ外しの時には動きを妨害する。
【０００８】
本発明は、また、容器のねじ付きの首部であって、上述したような装置によって閉止され得、そのノッチの外側半径方向フランジに対して首部の開口部と反対の方向を指向するノッチを有することを特徴とする首部に関する。
【０００９】
このような首部は、容易に鋳型成形でき、ノッチを構成する指向は、容器の開封の時点で閉止装置に牽引力が作用するとすぐに作動できることを可能にし、これらのノッチは、不正操作阻止リングを半径方向に拡張させようとしない。
【００１０】
本発明の有利ではあるが必須ではない態様によれば、この首部は、１つ又はそれ以上の以下の特徴部分を含む。
−ノッチは、首部の中心軸に対して実質的に垂直な平面において延びるフランジの環状表面に形成されている。
−フランジには、首部の開口の方向に収束する截頭錐状(tronconique)表面に設けられており、この表面は、閉止装置のポジショニングの間、不正操作阻止リングの半径方向拡張のための傾斜路を形成する。
−ノッチは傾斜しており、各ノッチは、首部の中心軸に対して平行な第１面と、この第１面に対して傾斜している第２面とを有する。
【００１１】
最後に、本発明は、上述したとおりの装置によって閉止される上述したとおりの首部を備える容器に関する。
【００１２】
単なる例として与えられ、また添付図面を参照する、本発明に基づく装置によって閉止される本発明に基づく首部が設けられている容器の実施形態の以下の説明のもとで、本発明はより容易に理解され、これらの他の利点はより明確に現われるであろう。
【００１３】
図１〜３に示される容器１は、首部２が瓶１の本体部分３に一体に作成されている瓶である。首部２には、外側ねじ４が設けられている。
【００１４】
Ｘ2は首部２の中心軸を示し、この軸は、ねじ４が傾いていることは別として、首部２の回転対象軸である。２ａは、首部２の開口を示し、すなわち、首部２の内部容積と容器１の外側との間の境界を成すディスク状の表面である。
【００１５】
首部２には、開口２ａの方向に収束する截頭錐状表面５ａと軸Ｘ2に実質的に垂直な環状表面５ｂとの間に規定される外側フランジ５が設けられている。Ｐ5は表面５ｂの幾何学的面を示す。この面は軸Ｘ2に垂直である。
【００１６】
本発明によれば、表面５ｂには、下部フランジ７とボディ２の本体部分３の方向に延びるノッチ６が設けられる。ノッチ６はしたがって、フランジ５に対して開口２ａの反対側である。
【００１７】
首部２に設置されるように設けられる閉止装置１０は、軸Ｘ10に中心合わせされる。
【００１８】
装置１０は、その底部１２がねじ４に協働するように設けられた内側ねじ１４が設けられる筒状スカート１３まで延びるキャップ１１を有する。
【００１９】
底部１２には、また、開口２ａの近傍の首部の内側筒状表面２ｂに対する接合部分に入り込むように第２スカート１５が設けられている。スカート１５には、表面２ｂに対するスカート１５の接合部分の密閉を向上させるように外側ベッド１５ａが備えられている。
【００２０】
装置１０はまた、リング１６とキャップ１１との間に作成される開口１８の間に規定される、脆弱あるいは破壊可能な領域１７によってキャップ１１に連結される不正操作阻止リング１６を有する。
【００２１】
開口の形状はデザインの選択に依存し、図示されるものに限定されない。本発明の変形例（図示しない）によれば、開口１８はキャップ１１の底部１２の方向に延びていても良い。
【００２２】
リング１６には、底部１２の方向に収束する截頭錐状表面１９ａと軸Ｘ10に実質的に垂直な環状表面１９ｂの間に規定される内側リング１９が備えられている。Ｐ19は表面１９ｂの幾何学的平面を示す。この平面は、軸Ｘ10に実質的に垂直で、キャップ１１の底部１２に平行である。
【００２３】
本発明によれば、表面１９ｂには、首部２の方向に延びるノッチ２０が設けられており、ノッチ２０の形状は、首部２に設けられるノッチ６と共同できるものである。
【００２４】
図２に見られるように、装置１０が首部２にねじ締めされるとき、ねじ４と１４とが協働し、表面１９ａが表面５ａと接触するようになり、これらの表面は互いにスライドし、このスライドは図２の矢印Ｆ1によって表示されるようにリング１６を半径方向に拡張する効果を有する。
【００２５】
ねじ締めは、表面１９ｂが、図２における矢印Ｆ2の方向において表面５ｂを通過するまで続け、これによりリング１６はノッチ１０がノッチ６に対向する図３および４の配置になる。
【００２６】
特に、装置１０が首部２に位置している間、ノッチ１９には半径方向の圧力が加えられず、これはリング１６の破断あるいはプラスチックの変形の危険性を回避する。さらに、この動きの間のこのリングの半径方向の拡張は、軸Ｘ2およびＸ10回りに連続的で均等に寄与するので結果的に表面５ａでの表面１９ａのスライドとなる。
【００２７】
この配置において、もしキャップ１１をねじって外そうとするとき、キャップの動きの当初は、まだキャップに固定されているリング１６の、開口２ａ方向への移動の効果を有し、結果としてノッチ２０がノッチ６にかみ合うようになり、リング１６は首部２に対してしっかりと固定される。ねじ外しの動きが続けられると、領域１７が破壊されてキャップ１１はリング１６から分離され、容器１の後続の使用者が、直ちに気づく。
【００２８】
図４により詳細に見られるように、ノッチ２０と６とは傾斜している。より詳細には、ノッチ６は、それぞれ軸Ｘ2に実質的に平行な面６ａと面６ａに対して傾斜している面６ｂとを有する。同様に、ノッチ２０は、軸Ｘ10に実質的に平行な、すなわちスカート１３の方向を指向する面２０ａと面１０ａに対して傾斜する面１０ｂとを有する。ノッチ６および２０の傾斜した外形を考慮すると、後者は首部２上の装置１０のねじ締めの動きに影響を及ぼさず、この結果、矢印Ｆ4によって表示されるねじ外しの動きとは反対の、図４における矢印Ｆ3の方向の動きとなり、表面１０ａはその場合表面６ａに対して接合するようになる。
【００２９】
ノッチ６および２０の間の相互作用の形態を考慮すると、後者は相体的に小さい高さを有する。実用では、ノッチ６の高さｈ6は０．３〜０．５ｍｍの間に含まれ、ノッチ２０の高さｈ20も同様である。
【００３０】
本発明は、首部２および閉止装置１０において、ともにフランジ５およびリング１９の表面全体にわたってノッチが設けられているものについて説明した。しかしながら、ノッチを、１つ又はこれら突出体の一部のみに設けることも可能である。
【００３１】
特に、首部２にただ４個のノッチ６を設けることも可能であり、２つのノッチはこの首部の２等分した間の接合個所の水平面に作成され、他の２つのノッチは、この水平面に実質的に垂直な面に設けられる。
【００３２】
ノッチ６はいわゆる「シェル（shell）」法によって成形分離することによって設けられても良い。
【００３３】
首部２は、容器１の本体部分３に一体になっていても良いし、これに連結されていても良い。
【図面の簡単な説明】
【００３４】
【図１】図１は、本発明に基づく閉止装置および容器の首部を形成する部分の、装置が首部に配置される前の軸断面図である。
【図２】図２は、装置が首部に設置されつつあるときの図１と同様の図である。
【図３】図３は、装置が首部に設置されているときの図２と同様の図であり、そして
【図４】図４は、図３のＩＶ−ＩＶ線に沿う部分断面図である。
【国際公開パンフレット】
2004521039.tif 000003
2004521039.tif 000004
2004521039.tif 000005
2004521039.tif 000006
2004521039.tif 000007
2004521039.tif 000008
2004521039.tif 000009
2004521039.tif 000010
2004521039.tif 000011
2004521039.tif 000012
2004521039.tif 000013
2004521039.tif 000014
2004521039.tif 000015
2004521039.tif 000016
【国際調査報告】
2004521039.tif 000017
2004521039.tif 000018
2004521039.tif 000019
2004521039.tif 000020